(57)【特許請求の範囲】
【請求項１】
複数の周波数チャンネルの信号を受信する受信手段と、
上記受信手段によって受信された信号の受信信号レベルを検出する検出手段と、
無信号時のノイズレベルに相当する第１のしきい値と、放送信号の存在を示す受信レベルに相当する第２のしきい値とを記憶する第１の記憶手段と、
受信可能な周波数チャンネルを含むチャンネルリストを記憶する第２の記憶手段と、
上記第１及び第２のしきい値を決定して上記第１の記憶手段に格納し、上記各周波数チャンネルのうちで上記第２のしきい値以上の受信信号レベルを有しかつ受信可能な周波数チャンネルを上記チャンネルリストに登録する制御手段とを備え、
上記制御手段は、
上記周波数チャンネルの受信信号レベルが上記第１のしきい値未満であるか否かを判断し、上記受信信号レベルが上記第１のしきい値未満であるとき、上記第１のしきい値を上記受信信号レベルによって更新し、
上記更新された第１のしきい値に所定のオフセット値を加算することにより上記第２のしきい値を決定することを特徴とするデジタル放送受信機。
【請求項２】
上記制御手段は、上記周波数チャンネルの受信信号レベルが上記第２のしきい値以上であるとき、上記周波数チャンネルの受信信号がデコード可能であるか否かを判断し、デコード可能であるとき、当該周波数チャンネルを受信可能な周波数チャンネルとして上記チャンネルリストに登録することを特徴とする請求項１記載のデジタル放送受信機。
【請求項３】
上記制御手段は、上記周波数チャンネルの受信信号レベルが上記第１のしきい値未満であるか否かを判断する前に、上記周波数チャンネルの受信信号をデコードすることが可能であるか否かを判断し、デコード不可能な受信信号の周波数チャンネルに対してのみ、当該周波数チャンネルの受信信号レベルが上記第１のしきい値未満であるか否かを判断することを特徴とする請求項１記載のデジタル放送受信機。
【発明の詳細な説明】
【技術分野】
【０００１】
本発明は、地上デジタルテレビジョン放送などのデジタル放送を受信するためのデジタル放送受信機に関する。
【背景技術】
【０００２】
近年、放送メディアのデジタル化に伴い、地上デジタルテレビジョン放送などのデジタル放送が開始されている。デジタル放送の放送局は、その送出情報として他局の情報を送出することはない（例えば、非特許文献１参照。）。従って、デジタル放送受信機では、その設置地点において全チャンネルのスキャン（又はサーチ）を行い、受信可能なデジタル放送の周波数チャンネルを網羅したチャンネルリストを構築する必要がある。
【０００３】
従来のデジタル放送受信機では、受信可能な周波数チャンネルのチャンネルリストを構築する際、ある周波数チャンネルが受信可能であるか否かの判断を、トランスポート（Transport Stream：ＴＳ）信号が受信されたか否かを判断することによって行っている。そのため、一定時間内にＴＳ信号を受信できない場合は受信不可と判断して次のチャンネルスキャンを行う。また、特許文献１記載のデジタル放送受信機では、受信可能な周波数チャンネルのチャンネルリストを構築する際、ＴＳ信号が受信されたか否かを判断する前に、所定周波数チャンネルの無線周波信号の有無を判断している。所定周波数チャンネルの無線周波信号の有無についての判断は、デジタル放送受信機のチューナ内の自動利得制御回路電圧（ＡＧＣ回路電圧：以下、「ＡＧＣレベル」という。）を検出し、検出されたＡＧＣレベルをある固定値に対して比較することにより行っている。この比較においてＡＧＣレベルが上記固定値に満たない場合には、足切りを行って、ＴＳ信号が受信されたか否かについては判断しない。このようにＡＧＣレベルに基づいて判断することは、ＡＧＣレベルから推定される無線周波信号の電界強度に基づいて判断することと等価であるが、これによれば、ある周波数チャンネルが受信可能であるか否かについての判断が、ＯＦＤＭの同期確立後にＴＳ信号に基づいて行うよりも高速になる。
【０００４】
【特許文献１】特開２００４−２８２２１１号公報。
【非特許文献１】社団法人電波産業会，「地上デジタルテレビジョン放送運用規定  技術資料  ＡＲＩＢ  ＴＲ−Ｂ１４」，１．１版，第二編６．２．１  初期スキャン，平成１４年７月２５日。
【発明の開示】
【発明が解決しようとする課題】
【０００５】
しかしながら、デジタル放送の中でも１セグメント（ワンセグ）放送では、受信のために要求される搬送波電力対雑音電力比（Ｃ／Ｎ）は非常に低く、無信号時のノイズレベルよりも若干高いだけなので、ＡＧＣレベルに基づき無線周波信号の有無を判断することは困難である。デジタル放送受信機に使用されるアンテナやチューナの感度のばらつきを考慮すると、ＡＧＣレベルを固定値で足切りすることはできず、従って、正確にチャンネルスキャンを実行するためには長い時間が必要となる。
【０００６】
本発明の目的は、以上の課題を解決し、短時間で正確にチャンネルスキャンを実行して、受信可能なチャンネルリストを生成することができるデジタル放送受信機を提供することにある。
【課題を解決するための手段】
【０００７】
本発明に係るデジタル放送受信機は、複数の周波数チャンネルの信号を受信するデジタル放送受信機において、
上記デジタル放送受信機は、上記各周波数チャンネルのうちで受信可能な周波数チャンネルを登録する制御手段を備え、
上記制御手段は、上記周波数チャンネルの受信信号レベルが、所定の第１のしきい値未満であるか否かを判断し、上記受信信号レベルが上記第１のしきい値未満であるとき、上記第１のしきい値を上記受信信号レベルによって更新することにより無信号時のノイズレベルに実質的に相当する第１のしきい値を決定することを特徴とする。
【０００８】
上記デジタル放送受信機において、上記制御手段は、上記複数の周波数チャンネルについて、もしくは上記複数の周波数チャンネルから選択された少なくとも１つの周波数チャンネルについての受信信号レベルが上記第１のしきい値未満であるか否かを判断して上記第１のしきい値を上記受信信号レベルによって更新することを特徴とする。
【０００９】
また、上記デジタル放送受信機において、上記制御手段は、上記複数の周波数チャンネルの受信信号をデコードするために必要な受信信号レベルを示す第２のしきい値を上記第１のしきい値に基づいて計算することを特徴とする。
【００１０】
さらに、上記デジタル放送受信機において、上記制御手段は、上記周波数チャンネルの受信信号レベルが上記第１のしきい値未満であるか否かを判断した後に、上記周波数チャンネルの受信信号をデコードすることが可能であるか否かを判断することを特徴とする。ここで、上記制御手段は、上記周波数チャンネルの受信信号レベルが上記第１のしきい値未満であると判断しかつ上記周波数チャンネルの受信信号をデコードすることが可能であると判断したときに当該周波数チャンネルを受信可能な周波数チャンネルとして登録することを特徴とする。
【００１１】
上記デジタル放送受信機において、とって代わって、上記制御手段は、上記周波数チャンネルの受信信号レベルが上記第１のしきい値未満であるか否かを判断する前に、上記周波数チャンネルの受信信号をデコードすることが可能であるか否かを判断し、デコード不可能な受信信号の周波数チャンネルに対してのみ、当該上記周波数チャンネルの受信信号レベルが上記第１のしきい値未満であるか否かを判断することを特徴とする。ここで、上記制御手段は、上記周波数チャンネルの受信信号をデコードすることが可能であると判断したときに当該周波数チャンネルを受信可能な周波数チャンネルとして登録することを特徴とする。
【００１２】
また、上記デジタル放送受信機において、上記周波数チャンネルの受信信号レベルが上記第２のしきい値以上であるとき、上記周波数チャンネルの受信信号がデコードされたか否かを判断し、デコードされたとき、当該周波数チャンネルを受信可能な周波数チャンネルとして登録することを特徴とする。ここで、上記第２のしきい値は、受信する周波数チャンネルの信号の伝送方式又は変調方式により異なることを特徴とする。すなわち、上記第２のしきい値は、例えば、１セグメント放送の伝送方式と、１２セグメント放送の伝送方式とにより異なっていてもよい。また、上記制御手段は、上記第２のしきい値を不揮発性メモリに格納することを特徴とする。
【００１３】
さらに、上記デジタル放送受信機において、上記制御手段は、上記第１のしきい値を不揮発性メモリに格納することを特徴とする。
【００１４】
またさらに、上記デジタル放送受信機において、上記デジタル放送受信機は、複数のアンテナによって受信された各受信信号をそれぞれ受信する複数のチューナ手段と、
上記各チューナ手段により受信された各受信信号を合成して出力する合成手段とをさらに備え、
上記制御手段は、上記複数のチューナ手段のうちの少なくとも１つのチューナ手段により受信された受信信号に基づいて、当該受信信号の受信信号レベルが、ノイズレベルに実質的に相当する所定の第１のしきい値未満であるか否かを判断し、上記受信信号レベルが上記第１のしきい値未満であるとき、上記第１のしきい値を上記受信信号レベルによって更新することにより、受信可能な周波数チャンネルを登録することを特徴とする。
【発明の効果】
【００１５】
従って、本発明によれば、デジタル放送受信機に使用されるアンテナ及びチューナなどの感度のばらつきや受信環境の変動を補正することができ、これにより、第１のしきい値に基づき無線周波信号の有無を正確に判断することができる。また、第１のしきい値に基づいて第２のしきい値を計算し、計算された第２のしきい値に基づいてチャンネルスキャンを実行することにより、短時間で正確にチャンネルスキャンを実行してチャンネルリストを生成することができる。従って、本発明のデジタル放送受信機は、受信のために要求される搬送波電力対雑音電力比（Ｃ／Ｎ）が非常に低い１セグメント放送であっても、無線周波信号の有無を短時間で正確に判断することができる。
【発明を実施するための最良の形態】
【００１６】
以下、図面を参照して本発明の実施形態について説明する。
【００１７】
第１の実施形態．
図１は、本発明の第１の実施形態に係るデジタル放送受信機１０のハードウェア構成を示すブロック図である。本実施形態に係るデジタル放送受信機１０は、装備している複数の周波数チャンネルのうちで受信可能な周波数チャンネルを登録しかつ当該デジタル放送受信機１０の全体の動作を制御するコントローラ１６を備え、コントローラ１６は、上記複数の周波数チャンネルの受信信号レベルが、無信号時のノイズレベルに実質的に相当する所定の第１のしきい値（図４における最小ＡＧＣレベルＬ０）未満であるか否かを判断し、上記受信信号レベルが上記第１のしきい値未満であるとき、上記第１のしきい値を上記受信信号レベルによって更新し、上記複数の周波数チャンネルの受信信号をデコードするために必要であって放送波の有無の判断に用いる受信信号レベルを示す第２のしきい値（図４におけるしきい値Ｔ１又はＴ２）を上記第１のしきい値（Ｌ０）に基づいて計算することを特徴としている。本実施形態に係る当該特徴については詳細後述する。
【００１８】
図１において、地上デジタルテレビジョン放送などのデジタル放送の無線周波信号はアンテナ１において受信され、次いでアンテナ内蔵低雑音増幅器（ＬＮＡ）２によって増幅され、増幅後の受信信号は、デジタル放送受信機１０の無線入力端子３に入力される。デジタル放送受信機１０は、バス２０にそれぞれ接続されたチューナ１１、復調器１３、ＴＳデコーダ１４、ＡＶデコーダ１５、コントローラ１６、フラッシュＲＯＭ１７、ＲＡＭ１８、及びＥＥＰＲＯＭ１９を備えて構成され、無線入力端子３を介して受信された受信信号は最初にチューナ１１に入力される。チューナ１１は自動利得制御回路（ＡＧＣ回路）１１ａを備え、無線入力端子３を介して入力された受信信号から所定周波数のチャンネルを選局するとともに、選局されたチャンネルの受信信号に対して自動利得制御を実行し、自動利得制御された受信信号を復調器１３に出力するとともに、受信信号の自動利得制御時のＡＧＣ回路電圧（ＡＧＣレベル）をコントローラ１６に出力する。復調器１３は、チューナ１１からの選局されたチャンネルの受信信号を復調して、復調されたベースバンド信号をＴＳデコーダ１４に出力し、ＴＳデコーダ１４は、復調されたベースバンド信号からトランスポートストリーム（ＴＳ）信号をデコードしてＡＶデコーダ１５に出力し、ＡＶデコーダ１５は、デコードされたＴＳ信号から映像信号及び音声信号をデコードし、映像信号をビデオ出力端子４から出力し、音声信号をオーディオ出力端子５から出力する。
【００１９】
コントローラ１６はＣＰＵ１６ａを備え、受信可能な周波数チャンネルの有無を決定して、受信可能な周波数チャンネルに係るチャンネルリストを生成するためのチャンネルスキャン初期処理（図２参照）及びチャンネルスキャン処理（図３参照）を実行するとともに、操作部２１からのユーザの入力に応答してデジタル放送受信機１０全体の動作をバス２０を介して制御する。フラッシュＲＯＭ１７はプログラムやユーザ固有の情報を格納する不揮発性の記憶装置であり、ＲＡＭ１８はプログラムの内部情報などを格納する記憶装置であり、ＥＥＰＲＯＭ１９はユーザ固有の情報やデジタル放送受信機１０のシステム設定情報などを格納する不揮発性の記憶装置である。フラッシュＲＯＭ１７は、チャンネルスキャン初期処理及びチャンネルスキャン処理によって取得された受信可能な周波数チャンネルのリストを格納するチャンネルリストメモリ１７ａを備え、ＥＥＰＲＯＭ１９は、チャンネルスキャン初期処理及びチャンネルスキャン処理に用いるしきい値を格納するしきい値メモリ１９ａを備えている。
【００２０】
ここで、しきい値メモリ１９ａには、デジタル放送受信機１０の出荷時などに予め設定された初期値の最小ＡＧＣレベルＬ０が格納されているが、この最小ＡＧＣレベルＬ０は、コントローラ１６によって実行されるチャンネルスキャン初期処理及びチャンネルスキャン処理により更新される。しきい値メモリ１９ａは、さらに、チャンネルスキャン初期処理及びチャンネルスキャン処理により計算される１セグメント放送のＡＧＣレベルのしきい値Ｔ１と１２セグメント放送のＡＧＣレベルのしきい値Ｔ２とを格納する。
【００２１】
本実施形態のデジタル放送受信機１０は、複数の周波数チャンネルの無線周波信号を受信するとき、これらの周波数チャンネルのうちで受信可能な周波数チャンネルを登録しかつ当該デジタル放送受信機１０全体の動作を制御するためのコントローラ１６を備え、コントローラ１６は、ある周波数チャンネルの受信信号のＡＧＣレベルが、所定の第１のしきい値である最小ＡＧＣレベルＬ０未満であるか否かを判断し、受信信号レベルがこの最小ＡＧＣレベルＬ０未満である場合には、コントローラ１６は最小ＡＧＣレベルＬ０を受信信号レベルによって更新することにより、無信号時のノイズレベルに実質的に相当する第１のしきい値である最小ＡＧＣレベルＬ０を得る。また、コントローラ１６は、上記複数の周波数チャンネルの受信信号をデコードするために必要十分であって放送波の有無の判断に用いるＡＧＣレベルを示す第２のしきい値Ｔ１及びＴ２をそれぞれ所定のオフセットＯ１，Ｏ２を上記最小ＡＧＣレベルＬ０に加算することにより計算し、チューナ１１のＡＧＣ回路１１ａにより測定された周波数チャンネルの受信信号のＡＧＣレベルがしきい値Ｔ１又はＴ２（１セグメント放送のときしきい値Ｔ１を用い、１２セグメント放送のときしきい値Ｔ２を用いる。）以上であるか否かを判断することより、上記周波数チャンネルの受信信号がデコードされたか否か（すなわち、ＴＳ信号が受信されたか否か）を判断し、デコードされたとき、当該周波数チャンネルを受信可能な周波数チャンネルとしてチャンネルリストメモリ１７ａ上のチャンネルリストに登録することを特徴としている。
【００２２】
本実施形態において、コントローラ１６は、デジタル放送受信機１０を最初に動作させるとき、例えばユーザがデジタル放送受信機１０を購入して最初に動作させるときに、チャンネルスキャン初期処理を実行し、これにより、チャンネルリストを生成するとともに、最小ＡＧＣレベルＬ０を測定してこれに基づきＡＧＣレベルのしきい値Ｔ１，Ｔ２を決定する。チャンネルスキャン初期処理はまた、デジタル放送受信機１０を異なる地域に移動させたとき、又はデジタル放送受信機１０を使用している地域において新たな放送局が開局されたときなどに実行されてもよい。コントローラ１６はまた、デジタル放送受信機１０を２回目以降に動作させるときであってかつチャンネルリストの更新が必要なときに、チャンネルスキャン初期処理とは異なるチャンネルスキャン処理を実行し、これにより、チャンネルスキャン初期処理で決定されたＡＧＣレベルのしきい値Ｔ１，Ｔ２に基づいてチャンネルリストを生成するとともに、最小ＡＧＣレベルＬ０を測定してこれに基づきＡＧＣレベルのしきい値Ｔ１，Ｔ２を更新する。
【００２３】
図２は、デジタル放送受信機１０の初回の動作において図１のコントローラ１６によって実行されるチャンネルスキャン初期処理を示すフローチャートであり、図３は、２回目以降の動作において図１のコントローラ１６によって実行されるチャンネルスキャン処理を示すフローチャートである。
【００２４】
デジタル放送受信機１０を最初に動作させるとき、コントローラ１６は、図２のステップＳ１において、チャンネルリストメモリ１７ａ及びしきい値メモリ１９ａの内容を初期化し、次いでステップＳ１Ａにおいて、チャンネルスキャン初期処理の対象となる複数の周波数チャンネルのうちで、最初にチャンネルスキャンの対象となる周波数チャンネルをチューナ１１を用いて選局する。チューナ１１は選局を行うと同時に、選局された周波数チャンネルの受信信号に対して自動利得制御を実行し、当該受信信号のＡＧＣレベルをコントローラ１６に通知する（ステップＳ２）。ステップＳ３において、コントローラ１６は、当該受信信号のＡＧＣレベルが、コントローラ１６により予め設定された最小ＡＧＣレベルＬ０未満であるか否かを判断し、ＹＥＳのときはステップＳ４に進む一方、ＮＯのときはそのままステップＳ５に進む。ステップＳ４においてコントローラ１６は、ステップＳ２で取得された受信信号のＡＧＣレベルによって最小ＡＧＣレベルＬ０を更新し、更新された最小ＡＧＣレベルＬ０をＥＥＰＲＯＭ１９内のしきい値メモリ１９ａに格納し、ステップＳ５に進む。ステップＳ５において、ＴＳデコーダ１４をモニタリングすることにより、一定時間内にＴＳ信号を受信できたか否か（すなわち、受信信号をデコードできたか否か）を判断し、受信できた場合には、現在選局中の周波数チャンネルが受信可能であると判断し、ステップＳ６において、現在選局中の周波数チャンネルをチャンネルリストメモリ１７ａ上のチャンネルリストに登録してステップＳ７に進み、受信できなかった場合には、そのままステップＳ７に進む。ステップＳ７においてコントローラ１６は、現在選局中の周波数チャンネルがチャンネルスキャン初期処理の対象となる最後の周波数チャンネルであるか否かを判断し、最後の周波数チャンネルではないならば、ステップＳ８において次にチャンネルスキャンの対象となる周波数チャンネルをチューナ１１を用いて選局してステップＳ２に戻り、最後の周波数チャンネルであれば、ステップＳ９に進む。ステップＳ９においてコントローラ１６は、最小ＡＧＣレベルＬ０に所定のオフセットＯ１を加算することにより、１セグメント放送の無線周波信号がデコード可能に必要十分な電界強度で受信されているか否か（放送波の有無）を判断するためのＡＧＣレベルのしきい値Ｔ１を計算し、同様に、最小ＡＧＣレベルＬ０に所定のオフセットＯ２を加算することにより、１２セグメント放送の無線周波信号がデコード可能に必要十分な電界強度で受信されているか否か（放送波の有無）を判断するためのＡＧＣレベルのしきい値Ｔ２を計算する。コントローラ１６は、計算されたＡＧＣレベルのしきい値Ｔ１及びＴ２をＥＥＰＲＯＭ１９内のしきい値メモリ１９ａに格納し、チャンネルスキャン初期処理を終了する。
【００２５】
図４は、図１のデジタル放送受信機１０に設定されるＡＧＣレベルのしきい値（従来技術及び本実施形態の両方）を示す概略図である。
【００２６】
従来技術によれば、受信されるデジタル受信信号の放送波の有無の判断に用いるＡＧＣレベルのしきい値Ｔ１’，Ｔ２’については以下のように決められていた。まず、１２セグメント放送の周波数チャンネルにおいて、実装される電子回路等に依存して、当該放送の受信限界ＡＧＣレベルＬ２が決められ、図４に示すように、その電子回路の回路素子のバラツキや動作環境のバラツキを考慮して、受信限界ＡＧＣレベルＬ２から所定のマージンＭ２’だけ低い値を１２セグメント放送のデジタル受信信号の放送波の有無の判断に用いるＡＧＣレベルしきい値Ｔ２’として決められていた。同様に、１セグメント放送の周波数チャンネルにおいて、実装される電子回路等に依存して、当該放送の受信限界ＡＧＣレベルＬ１が決められ、図４に示すように、その電子回路の回路素子のバラツキや動作環境のバラツキを考慮して、受信限界ＡＧＣレベルＬ１から所定のマージンＭ１’だけ低い値を１セグメント放送のデジタル受信信号の放送波の有無の判断に用いるＡＧＣレベルのしきい値Ｔ１’として決められていた。この場合において、１２セグメント放送のＡＧＣレベルのしきい値Ｔ２’については、より大きなマージンＭ２’を考慮しなければ、動作時のバラツキに対応できず、また、１セグメント放送ＡＧＣレベルのしきい値Ｔ１’については、比較的大きなマージンＭ１’を考慮したときに、図４に示すように、無信号時のノイズレベルと同様のレベルとなっていまい、本来のしきい値レベルとして決定できず、実質的に利用できないという問題点があった。
【００２７】
以上の問題点を解決するために、本発明に係る実施形態では、受信限界ＡＧＣレベルＬ１及びＬ２に対して所定のマージンＭ１及びＭ２が生じるように考慮して、随時測定される無信号時のノイズレベルに実質的に対応する最小ＡＧＣレベルＬ０に対して、１セグメント放送用のＡＧＣレベルのオフセットＯ１と、１２セグメント放送用のＡＧＣレベルのオフセットＯ２とをそれぞれ加算することにより、１セグメント放送のＡＧＣレベルのしきい値Ｔ１と、１２セグメント放送のＡＧＣレベルのしきい値Ｔ２とを計算することを特徴としている。ここで、最小ＡＧＣレベルＬ０は無信号時のＡＧＣレベル（すなわちノイズレベルに実質的に対応する）を示し、その値は製造出荷時にデジタル放送受信機１０に予め設定されるが、必要に応じて、アンテナ１やアンテナ内蔵低雑音増幅器２並びにデジタル放送受信機１０の製品毎のばらつき及び受信環境の変動を補正するために、図２のステップＳ４の処理で更新される。本実施形態に係るデジタル放送受信機１０においては、それに実装される電子回路などに依存して決まる値である、１セグメント放送の受信限界ＡＧＣレベルＬ１及び１２セグメント放送の受信限界ＡＧＣレベルＬ２が予め決められており、１セグメント放送の無線周波信号の有無を判断するとき、受信信号のＡＧＣレベルがしきい値Ｔ１以上であるならば、選局中の周波数チャンネルの無線周波信号の電界強度が十分に高く、当該周波数チャンネルを介して１セグメント放送が受信可能であると判断される。一方、選局中の周波数チャンネルの無線周波信号の電界強度が、１セグメント放送を受信するために必要な値よりも十分に高いならば、１セグメント放送よりも高い搬送波電力対雑音電力比（Ｃ／Ｎ）を必要とし、１セグメント放送よりも高い伝送レートで伝送される１２セグメント放送を受信することができる。本実施形態において、１２セグメント放送の無線周波信号の有無を判断するとき、１セグメント放送の場合と同様に、受信信号のＡＧＣレベルがしきい値Ｔ２以上であるならば、選局中の周波数チャンネルの無線周波信号の電界強度が十分に高く、当該周波数チャンネルを介して１２セグメント放送が受信可能であると判断される。このように、ＡＧＣレベルのしきい値Ｔ１，Ｔ２は、受信する周波数チャンネルの信号の伝送方式又は変調方式により異なるように設定される。
【００２８】
次に、図３を参照して、図２のチャンネルスキャン初期処理で決定されたＡＧＣレベルのしきい値に基づいてチャンネルリストを生成するための、デジタル放送受信機１０の２回目以降の動作におけるチャンネルスキャン処理について説明する。デジタル放送受信機１０を２回目以降に動作させるときであってかつチャンネルリストの更新が必要なとき、コントローラ１６は、図３のステップＳ１１において、チャンネルスキャン処理の対象となる複数の周波数チャンネルのうちで、最初にチャンネルスキャンの対象となる周波数チャンネルをチューナ１１を用いて選局する。チューナ１１は選局を行うと同時に、選局された周波数チャンネルの受信信号に対して自動利得制御を実行し、このときのＡＧＣレベルをコントローラ１６に通知する（ステップＳ１２）。コントローラ１６は、１セグメント放送の受信信号を受信しているときはその受信信号のＡＧＣレベルが１セグメント放送のＡＧＣレベルのしきい値Ｔ１以上であるか否かを判断する一方、１２セグメント放送の受信信号を受信しているときはその受信信号のＡＧＣレベルが１２セグメント放送のＡＧＣレベルのしきい値Ｔ２以上であるか否かを判断する。ステップＳ１３において、ＹＥＳのときはステップＳ１４に進む一方、ＮＯのときはステップＳ１６に進む。ステップＳ１４においてコントローラ１６は、ＴＳデコーダ１４をモニタリングすることにより、一定時間内にＴＳ信号を受信できたか否かを判断し、受信できた場合には、現在選局中の周波数チャンネルが受信可能であると判断し、ステップＳ１５において、現在選局中の周波数チャンネルをチャンネルリストメモリ１７ａ上のチャンネルリストに登録してステップＳ１８に進み、受信できなかった場合には、そのままステップＳ１８に進む。
【００２９】
一方、ステップＳ１６では、コントローラ１６は、ＡＧＣレベルが最小ＡＧＣレベルＬ０未満であるか否かを判断し、ＹＥＳのときはステップＳ１７に進む一方、ＮＯのときはステップＳ１８に進む。ステップＳ１７においてコントローラ１６は、ステップＳ１２で取得された受信信号のＡＧＣレベルによって最小ＡＧＣレベルＬ０を更新し、更新された最小ＡＧＣレベルＬ０をＥＥＰＲＯＭ１９内のしきい値メモリ１９ａに格納し、ステップＳ１８に進む。ステップＳ１８においてコントローラ１６は、現在選局中の周波数チャンネルがチャンネルスキャン処理の対象となる最後の周波数チャンネルであるか否かを判断し、最後の周波数チャンネルではないならば、ステップＳ１９において次にチャンネルスキャンの対象となる周波数チャンネルをチューナ１１を用いて選局してステップＳ１２に戻り、最後の周波数チャンネルであれば、ステップＳ２０に進む。ステップＳ２０においてコントローラ１６は、最小ＡＧＣレベルＬ０に所定のオフセットＯ１を加算することにより１セグメント放送のＡＧＣレベルのしきい値Ｔ１を計算し、同様に、最小ＡＧＣレベルＬ０に所定のオフセットＯ２を加算することにより、１２セグメント放送のＡＧＣレベルのしきい値Ｔ２を計算する。コントローラ１６は、計算されたＡＧＣレベルのしきい値Ｔ１及びＴ２をＥＥＰＲＯＭ１９内のしきい値メモリ１９ａに格納し、チャンネルスキャン処理を終了する。
【００３０】
図３のチャンネルスキャン処理において、コントローラ１６は、前回のチャンネルスキャン処理において最小ＡＧＣレベルＬ０を有する周波数チャンネルを無信号であると判断し、その最小ＡＧＣレベルＬ０にオフセットＯ１，Ｏ２（１セグメント放送のときはオフセットＯ１を用い、１２セグメント放送のときはオフセットＯ２を用いる）を加算した値をＡＧＣレベルのしきい値Ｔ１，Ｔ２としてしきい値メモリ１９ａに記憶する。そして、次回のチャンネルスキャン処理においてそのＡＧＣレベルのしきい値Ｔ１又はＴ２に基づき受信信号のＡＧＣレベルに対する足切りを行う。本実施形態によれば、図２のチャンネルスキャン初期処理を実行することにより、アンテナ１やアンテナ内蔵低雑音増幅器２並びにデジタル放送受信機１０に使用されるアンテナ１及びチューナ１１などの感度のばらつきや受信環境の変動を補正することができ、これによりＡＧＣレベルに基づき無線周波信号の有無を正確に判断することができる。また、チャンネルスキャン初期処理で取得された最小ＡＧＣレベルＬ０に基づいてＡＧＣレベルのしきい値Ｔ１及びＴ２を計算し、これらのＡＧＣレベルのしきい値Ｔ１及びＴ２に基づいて図３のチャンネルスキャン処理を実行することにより、短時間で正確にチャンネルスキャンを実行して、受信可能な周波数チャンネルからなるチャンネルリストを生成することができる。従って、本実施形態のデジタル放送受信機１０は、受信のために要求される搬送波電力対雑音電力比（Ｃ／Ｎ）が非常に低い１セグメント放送であっても、すなわち、図４で示すように、最小ＡＧＣレベルＬ０と従来技術のしきい値Ｌ１’は近接する場合であっても、最小ＡＧＣレベルＬ０に基づきオフセットＯ１を考慮したしきい値Ｔ１を用いて、無線周波信号の有無を判断するので、短時間でかつ正確に判断することができるという特有の効果を有する。
【００３１】
なお、最小ＡＧＣレベルＬ０の測定時には、例えば、アンテナ１の放射部を電磁遮蔽材料で遮蔽して到来電波を遮蔽すればより正確なノイズレベル（当該デジタル放送受信機１０の回路で発生する熱雑音のレベル）である最小ＡＧＣレベルＬ０を測定できるが、現実には、遮蔽せずに、未使用の周波数チャンネルにおいて最小ＡＧＣレベルを測定すれば、実用的には十分なノイズレベルに実質的に相当する最小ＡＧＣレベルＬ０を測定できると考えられる。
【００３２】
第２の実施形態．
図５は、本発明の第２の実施形態に係るチャンネルスキャン初期処理を示すフローチャートである。図２のチャンネルスキャン初期処理と同じステップ番号は、同様の内容のステップを示す。デジタル放送受信機１０を最初に動作させるとき、コントローラ１６は、図２のチャンネルスキャン初期処理と同様にステップＳ１、Ｓ１Ａ及びＳ２を実行し、次いで図２のステップＳ５を実行する。ステップＳ５においてコントローラ１６は、ＴＳデコーダ１４をモニタリングすることにより、一定時間内にＴＳ信号を受信できたか否か（すなわち、受信信号をデコードできたか否か）を判断し、受信できた場合にはステップＳ６を実行してステップＳ７に進み、受信できなかった場合にはステップＳ３及びＳ４を実行してステップＳ７に進む。ステップＳ７、Ｓ８及びＳ９の処理もまた図２のチャンネルスキャン初期処理と同様に実行される。
【００３３】
コントローラ１６は、初回の動作で以上のようにチャンネルスキャン初期処理を実行した後、図３を参照して説明した２回目以降の動作におけるチャンネルスキャン処理を実行する。
【００３４】
本実施形態によれば、ステップＳ５で受信可能でないと判断された周波数チャンネルに対してのみ、ステップＳ３及びＳ４の処理を実行する。これにより、図２のチャンネルスキャン初期処理よりも処理が高速になるという優位点を有するものである。
【００３５】
変形例．
以上説明した実施形態では、デジタル放送受信機１０で受信可能な全周波数帯域にわたって単一の最小ＡＧＣレベルＬ０を用いている。しかしながら、異なる周波数帯域では周波数特性が異なるので、デジタル放送受信機１０の受信可能な全周波数帯域を複数の帯域に分割し、コントローラ１６は、分割された帯域毎に、最小ＡＧＣレベルの計算及び更新を実行するとともに、これらの最小ＡＧＣレベルに基づいてＡＧＣレベルのしきい値の計算及び更新をそれぞれ実行してもよい。
【００３６】
なお、上記の実施形態においては、受信可能な周波数チャンネルのすべてについて繰り返して最小のＡＧＣレベルＬ０を検索して更新し、更新された結果の最小のＡＧＣレベルＬ０に基づいて各放送のＡＧＣレベルのしきい値Ｔ１及びＴ２を決定しているが、本発明はこれに限らず、当該デジタル放送受信機１０，１０Ａにおいて受信可能な複数の周波数チャンネルのうちの少なくとも１つ又は代表する複数の受信周波数チャンネル（例えば、所定の地域における複数の無信号周波数チャンネルのうち、最高周波数の周波数チャンネル、概略中間の周波数チャンネル、最低周波数の周波数チャンネルなどを選定して代表の受信周波数チャンネルとしてもよい。）について最小のＡＧＣレベルＬ０を検索して更新し、更新された結果の最小のＡＧＣレベルＬ０に基づいて各放送のＡＧＣレベルのしきい値Ｔ１及びＴ２を決定してもよい。
【００３７】
また、本実施形態では、ＡＧＣレベルのしきい値Ｔ１及びＴ２の計算は、受信限界ＡＧＣレベルＬ１及びＬ２との間にそれぞれマージンＭ１及びＭ２が生じるように行ったが、このようなマージンＭ１及びＭ２を必ずしも考慮しなくてもよい。
【００３８】
本実施形態のデジタル放送受信機１０では、チャンネルスキャン初期処理及びチャンネルスキャン処理を実行するためにＡＧＣ回路１１ａのＡＧＣレベルを用いたが、これに代えて受信信号強度表示信号（ＲＳＳＩ）などの他の基準を用いてもよい。
【００３９】
本実施形態では、１セグメント放送のＡＧＣレベルのしきい値Ｔ１及び１２セグメント放送のＡＧＣレベルのしきい値Ｔ２を用いているが、これらのうちの一方のみを用いて図３のチャンネルスキャン処理を実行してもよい。また、これらに加えて、もしくはこれらに代えて、しきい値Ｔ１及びＴ２の間の値を有する３セグメント放送のＡＧＣレベルのしきい値を用いて、３セグメント放送が受信可能であるか否かを判断してもよい。
【００４０】
図６は本発明の変形例に係るデジタル放送受信機１０Ａのハードウェア構成を示すブロック図である。図６のデジタル放送受信機１０Ａは、図１のデジタル放送受信機１０に比較して以下のごとく、複数Ｍ個のアンテナ系回路を備えた点が異なる。
（１）アンテナ１と、アンテナ内蔵低雑音増幅器２とに代えて、例えば互いにスペースダイバーシチを構成する複数Ｍ個のアンテナ１−１乃至１−Ｍと、各アンテナ１−１乃至１−Ｍにそれぞれ接続されるアンテナ内蔵低雑音増幅器２−１乃至２−Ｍとを備えた。
（２）無線入力端子３及びデジタル放送受信機１０内のチューナ１１に代えて、複数Ｍ個の無線入力端子３−１乃至３−Ｍ及び複数Ｍ個の独立したチューナ１１−１乃至１１−Ｍ及び最大比合成器１２を備えた。
【００４１】
以上のように構成されたデジタル放送受信機１０Ａにおいて、地上デジタルテレビジョン放送などのデジタル放送の無線周波信号は各アンテナ１―１乃至１−Ｍにより受信された後、アンテナ内蔵低雑音増幅器（ＬＮＡ）２−１乃至２−Ｍによってそれぞれ増幅され、増幅後の各受信信号は、デジタル放送受信機１０Ａの各無線入力端子３−１乃至３−Ｍを介してＡＧＣ回路１１ａ−１乃至１１ａ−Ｍをそれぞれ備えたチューナ１１−１乃至１１−Ｍに入力される。各チューナ１１−１乃至１１−Ｍからそれぞれ出力される各ベースバンド信号は最大比合成器１２に入力されて最大比合成された後、合成されたベースバンド信号が復調器１３に出力される。ここで、図２又は図５のチャンネルスキャン初期処理や図３のチャンネルスキャン処理については、複数Ｍ個のアンテナ系回路のチューナ１１−１乃至１１−Ｍにおいて実行する必要はなく、少なくとも１個のチューナ１１において実行すれば、最小ＡＧＣレベルＬ０と、それに基づいてＡＧＣレベルのしきい値Ｔ１，Ｔ２を決定できる。従って、すべてのチューナ１１−１乃至１１−Ｍにおいて実行する場合に比較して、短い時間で効率的にチャンネルスキャン初期処理やチャンネルスキャン処理を実行することができ、判断の足切りに用いるしきい値Ｔ１，Ｔ２についても、判断条件を緩和して判断するために必要なしきい値Ｔ１，Ｔ２を決定することができるという特有の効果を有する。
【００４２】
以上説明したデジタル放送受信機１０，１０Ａは単なる例示であって、本発明のデジタル放送受信機は、本明細書に記載した実施形態のみに限定されるものではない。
【００４３】
以上説明したデジタル放送受信機１０，１０Ａにおいては、現在のデジタル放送の周波数のチャンネル認可や運用のごとく、当該でデジタル放送受信機１０，１０Ａが有する複数の周波数チャンネルのすべてにおいて放送されていないことを前提として、放送されていない周波数チャンネルにおける信号レベルであるノイズレベルを基準として、１２セグメント放送のＡＧＣレベルのしきい値及び１セグメント放送のＡＧＣレベルのしきい値を決定するものである。
【図面の簡単な説明】
【００４４】
【図１】本発明の第１の実施形態に係るデジタル放送受信機１０のハードウェア構成を示すブロック図である。
【図２】図１のコントローラ１６によって実行されるチャンネルスキャン初期処理を示すフローチャートである。
【図３】図１のコントローラ１６によって実行されるチャンネルスキャン処理を示すフローチャートである。
【図４】図１のデジタル放送受信機１０に設定されるＡＧＣレベルのしきい値（従来技術及び本実施形態の両方）を示す概略図である。
【図５】本発明の第２の実施形態に係るチャンネルスキャン初期処理を示すフローチャートである。
【図６】本発明の変形例に係るデジタル放送受信機１０Ａのハードウェア構成を示すブロック図である。
【符号の説明】
【００４５】
１，１−１乃至１−Ｍ…アンテナ、
２，２−１乃至２−Ｍ…アンテナ内蔵ＬＮＡ、
３，３−１乃至３−Ｍ…無線入力端子、
４…ビデオ出力端子、
５…オーディオ出力端子、
１０，１０Ａ…デジタル放送受信機、
１１，１１−１乃至１１−Ｍ…チューナ、
１１ａ，１１ａ−１乃至１１ａ−Ｍ…ＡＧＣ回路、
１２…最大比合成器、
１３…復調器、
１４…ＴＳデコーダ、
１５…ＡＶデコーダ、
１６…コントローラ、
１６ａ…ＣＰＵ、
１７…フラッシュＲＯＭ、
１７ａ…チャンネルリストメモリ、
１８…ＲＡＭ、
１９…ＥＥＰＲＯＭ、
１９ａ…しきい値メモリ、
２０…バス、
２１…操作部。
【図１】
0004426541.tif 000002
【図２】
0004426541.tif 000003
【図３】
0004426541.tif 000004
【図４】
0004426541.tif 000005
【図５】
0004426541.tif 000006
【図６】
0004426541.tif 000007